(57)【要約】【課題】チャンネル切替後、目的チャンネルの番組が表示されないためのユーザの不満を緩和するデジタルＴＶ放送受信装置を提供する。【解決手段】デジタルＴＶ放送受信装置１２０は、デジタル放送信号を受信し、指定されたチャンネルのデジタル放送信号に含まれる映像信号を復号し、番組表情報を処理する受信処理ブロック１３２と、受信処理ブロック１３２の出力を受け番組表情報を記憶する主記憶部１４６と、受信処理ブロック１３２及び主記憶部１４６を制御する中央処理部１４４とを含む。チャンネル切替指示が、ある一定時間より短い間隔で連続してある回数以上行なわれると、中央処理部１４４は、受信処理ブロック１３２より出力され主記憶部１４６に格納された番組表を表示部１４０に表示させる。【選択図】        図４
2008258803.tif 000002
【特許請求の範囲】
【請求項１】
デジタル放送信号を受信し、指定されたチャンネルのデジタル放送信号に含まれる映像
信号を復号する処理と、番組表情報を処理して出力する処理とを行なうための映像信号受信処理手段と、
前記映像信号受信処理手段から出力される前記番組表情報を記憶するための番組表情報記憶手段と、
前記番組表情報記憶手段に記憶された番組表情報を用いて所定の番組表画面を作成するための番組表作成手段と、
前記映像信号受信処理手段の出力を受けるように接続され、前記映像信号を表示部に出力するための映像処理手段と、
ユーザからチャンネル切替指示を受けたことに応答して、前記映像信号受信処理手段を制御して、前記チャンネル切替指示により指示されるチャンネルのデジタル放送信号に含まれる前記映像信号及び前記番組表情報を出力させるためのチャンネル切替手段と、
予め定められた範囲の時間間隔をおいて連続するチャンネル切替指示を、所定のしきい値と等しい回数受けたことに応答して、前記番組表画面を前記映像信号に代えて前記表示部に出力するように前記映像処理手段を制御するための制御手段とを含む、デジタル放送受信装置。
【請求項２】
前記映像信号受信処理手段は、
デジタル放送信号を受信し、指定されたチャンネルのデジタル放送信号に含まれる映像
信号を復号する処理を行なうための手段と、
デジタル放送信号を受信し、指定されたチャンネルのデジタル放送信号に含まれる番組表情報を処理して出力する処理を行なうための番組表受信処理手段とを含む、請求項１に記載のデジタル放送受信装置。
【請求項３】
デジタル放送信号を受信し、指定されたチャンネルのデジタル放送信号に含まれる映像
信号を復号する処理と、番組表情報を処理して出力する処理とを行なうための映像信号受信処理手段と、
前記映像信号受信処理手段から出力される前記番組表情報を記憶するための番組表情報記憶手段と、
前記番組表情報記憶手段に記憶された番組表情報を用いて所定の番組表画面を作成するための番組表作成手段と、
前記映像信号受信処理手段の出力を受けるように接続され、前記映像信号を表示部に出力するための映像処理手段と、
ユーザからチャンネル切替指示を受けたことに応答して、前記映像信号受信処理手段を制御して、前記チャンネル切替指示により指示されるチャンネルのデジタル放送信号に含まれる前記映像信号及び前記番組表情報を出力させるためのチャンネル切替手段と、
予め定められた範囲の時間間隔をおいて連続するチャンネル切替指示を、所定のしきい値と等しい回数受けたことに応答して、前記番組表画面を前記映像信号に代えて前記表示部に出力するように前記映像処理手段を制御するための制御手段とを含むデジタル放送受信装置において、前記表示部に前記番組表画面を表示させるための、デジタル放送受信装置の制御方法であって、
前記方法は、
前記チャンネル切替手段が、ユーザからチャンネル切替指示を受けたことに応答して、前記映像信号受信処理手段を制御して、前記チャンネル切替指示により指示されるチャンネルのデジタル放送信号に含まれる前記映像信号及び前記番組表情報を出力させるステップと、
前記制御手段が、予め定められた範囲の時間間隔をおいて連続するチャンネル切替指示を、所定のしきい値と等しい回数受けたことに応答して、前記番組表画面を前記映像信号に代えて前記表示部に出力するように前記映像処理手段を制御するステップとを含む、デジタル放送受信装置の制御方法。
【請求項４】
デジタル放送信号を受信し、指定されたチャンネルのデジタル放送信号に含まれる映像
信号を復号する処理と、番組表情報を処理して出力する処理とを行なうための映像信号受信処理手段と、
前記映像信号受信処理手段から出力される前記番組表情報を記憶するための番組表情報記憶手段と、
前記映像信号受信処理手段の出力を受けるように接続され、前記映像信号を表示部に出力するための映像処理手段と、
前記映像信号受信処理手段、前記番組表情報記憶手段、及び前記映像処理手段を制御可能なように設けられたコンピュータとを含む、デジタル放送受信装置において、前記コンピュータにより実行されることにより、前記表示部に前記番組表画面を表示させるように前記映像信号受信処理手段、前記番組表情報記憶手段、及び前記映像処理手段を制御するためのコンピュータプログラムであって、
前記コンピュータプログラムは、前記コンピュータを、
前記番組表情報記憶手段に記憶された番組表情報を用いて所定の番組表画面を作成するための番組表作成手段と、
ユーザからチャンネル切替指示を受けたことに応答して、前記映像信号受信処理手段を制御して、前記チャンネル切替指示により指示されるチャンネルのデジタル放送信号に含まれる前記映像信号及び前記番組表情報を出力させるためのチャンネル切替手段と、
予め定められた範囲の時間間隔をおいて連続するチャンネル切替指示を、所定のしきい値と等しい回数受けたことに応答して、前記番組表画面を前記映像信号に代えて前記表示部に出力するように前記映像処理手段を制御するための制御手段として機能させる、コンピュータプログラム。
【発明の詳細な説明】
【技術分野】
【０００１】
この発明はテレビジョン（以下「テレビ」と呼ぶ）の映像表示の改善技術に関し、特に、デジタルテレビ放送においてチャンネルを切替えたときの映像表示を改善する技術に関する。
【背景技術】
【０００２】
これまでのアナログテレビ放送に代わり、すべてのテレビ放送がデジタル化されつつある。テレビ放送がデジタル化されることにより、電波の帯域を有効に利用しながら、ノイズの影響を受けることの少ない多くのチャンネルを利用することが可能になる。
【０００３】
帯域を有効に使用するために、デジタルテレビ放送では画像の符号化が行なわれている。画像の符号化には、フレーム内予測符号化、フレーム間予測符号化などの予測符号化技術が採用されている。このような技術を採用することにより、送信されるデータ量を少なくしながら、鮮明な画質のデジタルテレビ放送を行なうことができる。
【０００４】
しかし、予測符号化方式を採用したことにより、次のような不都合が生じている。すなわち、予測符号化技術を採用しているため、あるフレームの画像を作成するためには、時間的にそれに先立つ画像が必要とされることがある。そのため、ある放送局のデジタルテレビ放送信号を最初に受信し、これをデコードするためにはある時間が必要とされる。この間に受信される信号のみから映像を再構成することはできない。そのため、チャンネルの切替があった後、前の画像に依存しない特定の画像フレームを受信するまでの間、画面には何も表示されないことになる。この時間はわずかではあるが、チャンネルを切替えた直後に画面が真っ暗になるため、ユーザにパニックを引起こすという問題がある。
【０００５】
特に、いわゆるザッピングを行なっている場合には、このように一時的にせよ映像が表示されない場合、アナログ方式のテレビ受像機と比較してザッピングに時間がかかってしまうことになる。チャンネル数が多くなっている現在、このようにザッピングに時間がかかってしまうことは避けるべきである。
【０００６】
こうした問題を解決するために、後述する特許文献１には、チャンネルの切替後、目的チャンネルの映像表示が可能になるまでの間、「チャンネル切替中です」などのメッセージを画面に表示する技術が開示されている。こうしたメッセージを表示することにより、少なくともユーザは、テレビ受像機が故障してはいないことについて理解することができる。
【０００７】
一方、特許文献１に開示の技術でも、チャンネル切替後、一定の時間の間は映像を確認することができないという問題がある。こうした問題を解決するための１つの方策が、後掲の特許文献２に開示されている。特許文献２に開示のデジタル放送受信装置は、２つのチューナを持ち、一方のチューナである放送局の放送を受信している間、他方のチューナで、別の放送のチャンネルの番組をバッファリングしておく。チャンネルの切替があってバッファリングされているチャンネルが選択された場合、バッファリングされている映像を直ちに出力する。したがってこの場合、画面が真っ暗になることは避けられる。ただし、チャンネル切替後、バッファリングされている放送局とは異なる放送局が選択された場合、やはりある時間の間は画面が表示されないという問題点は残る。
【０００８】
この問題の解決法として、特許文献３に開示のデジタル放送受信装置は、２つのチューナを持ち、第１のチューナである放送局の放送を受信し表示している間、第２のチューナで、別の複数の放送局の放送を順次受信及び復号し、その都度、それぞれの映像フレームを記憶しておく。ユーザのチャンネル切替時に、指定されたチャンネルの映像フレームを直ちに表示する。このため、特にザッピングを行なう場合、ユーザは切替先チャンネルの映像を直ちに確認することができ、次にどの番組を視聴するか容易に考えることができる。加えて、ユーザの指示に基づいて、映像フレームによるマルチチャンネル画面を直ちに表示をすることもできる。この場合、ユーザは一目で各チャンネルで放送中の番組が何かを知ることができる。しかし、第２のチューナが受信した映像フレームを記憶し、ユーザのチャンネル切替指示、及びマルチ表示指示があるまでにタイムラグがある。記憶された映像フレームは最新の情報ではないため、既にその放送が終了した番組の映像フレームであるなど、ユーザにとって利益性の低い映像情報が表示される場合がある。
【０００９】
ザッピング時の別の対処策として、番組表（Ｅｌｅｃｔｒｏｎｉｃ  Ｐｒｏｇｒａｍ  Ｇｕｉｄｅ。以下「ＥＰＧ」と呼ぶ。）を表示することができる。ＥＰＧは、チャンネル番号、放送局名及び各放送局で放送中の番組名等の情報を含み、受信可能な放送局に関する情報を表にまとめたものである。ＥＰＧの利点は、各チャンネルでどのような番組が放送されているかを一目で確認することができることである。また、ＥＰＧの別の利点は、ユーザによるＥＰＧ表示の指示から実際にＥＰＧが表示されるまでの時間期間が、チャンネル切替時の映像表示までの時間期間に比べて短時間であることである。これは、映像信号と比較すると、ＥＰＧは、そのデータ量が小さいことと、受信した信号を表示部へ表示させるまでに必要な処理方法が簡易であることとに起因する。
【００１０】
このため、ユーザは、ザッピングを行なう代わりに、ＥＰＧを表示させ、各チャンネルの番組情報を入手することができる。
【００１１】
特許文献４に開示の技術では、同じ時間帯に放送される複数チャンネルの番組情報からなるＥＰＧ等を提示し、ユーザが各番組内容をより確認しやすいＥＰＧ表示を提供する。
【特許文献１】特開２００６−５０５５３号公報
【特許文献２】特開２００６−６７５９９号公報
【特許文献３】特開２００３−８７６６８号公報
【特許文献４】特開２００２−１１８７９６号公報
【発明の開示】
【発明が解決しようとする課題】
【００１２】
従来のデジタルテレビ放送におけるザッピング及び特許文献４に開示の技術には以下のような問題点がある。図１に、従来の技術によるチャンネル切替操作と映像表示のシーケンス２０との関係を示す。図１を参照して、最初にユーザが第２チャンネル（ＣＨ２）を視聴していたものとする。この時、ユーザが選局操作３０に示すように、いわゆるザッピングを行なったものとする。例えば、第４チャンネル（ＣＨ４）、第６チャンネル（ＣＨ６）、第８チャンネル（ＣＨ８）という順序でチャンネル変更操作を行なう。アナログテレビ放送の場合であれば、この操作に応じて直ちにＣＨ４、ＣＨ６、ＣＨ８の映像が画面に表示される。しかしデジタルテレビ放送の場合には、チャンネル切替後直ちに切替先のチャンネルの映像が表示されることはなく、ある時間の間真っ黒な画面が表示される。この間は、前述したように切替先チャンネルの映像信号を受信し、正常なデコード（復号）が開始されるまでの時間期間であり、放送されるデジタル放送信号の符号化方式と、チャンネル切替の指示のタイミングとに主に依存してその長さが変化する。このため、ユーザは各チャンネルの番組を映像から即座に確認することができない。一方、番組表表示操作３２に示すように、ユーザが前述したＥＰＧの表示を指示したものとする。この場合、特許文献４に開示の技術と同様、ＥＰＧにより、各チャンネルでどんな番組が放送されるかを、ユーザは一目で確認することが可能である。しかし、明示的にＥＰＧを確認するための指示をユーザが行なう必要がある。このためユーザは、他の複数のチャンネルで放送されている番組の情報を確認しようとする際、ザッピングをするか、ＥＰＧを表示させるかという、２つの選択肢から選択しなければならない。
【００１３】
したがって本発明の目的は、ユーザがチャンネル選局を行なう際、特別な操作を伴わずに、有意義な情報を直ちに提供し、特にザッピングの場合、チャンネル切替後のある時間期間において、目的とするチャンネルの番組が表示されないことにより生ずるユーザの不満を緩和することができるデジタルテレビ放送の受信装置を提供することである。
【００１４】
この発明の他の目的は、チャンネルの選局時に、特別な操作を伴わずに他のチャンネルの放送内容について早期にユーザが知ることができ、それによってユーザの満足度を向上することができるデジタルテレビ放送の受信装置を提供することである。
【課題を解決するための手段】
【００１５】
本発明の第１の局面に係るデジタル放送受信装置は、デジタル放送信号を受信し、指定されたチャンネルのデジタル放送信号に含まれる映像信号を復号する処理と、番組表情報を処理して出力する処理とを行なうための映像信号受信処理手段と、映像信号受信処理手段から出力される番組表情報を記憶するための番組表情報記憶手段と、番組表情報記憶手段に記憶された番組表情報を用いて所定の番組表画面を作成するための番組表作成手段と、映像信号受信処理手段の出力を受けるように接続され、映像信号を表示部に出力するための映像処理手段と、ユーザからチャンネル切替指示を受けたことに応答して、映像信号受信処理手段を制御して、チャンネル切替指示により指示されるチャンネルのデジタル放送信号に含まれる映像信号及び番組表情報を出力させるためのチャンネル切替手段と、予め定められた範囲の時間間隔をおいて連続するチャンネル切替指示を、所定のしきい値と等しい回数受けたことに応答して、番組表画面を映像信号に代えて表示部に出力するように映像処理手段を制御するための制御手段とを含む。
【００１６】
このデジタル放送受信装置において、映像信号受信処理手段は、指定されたチャンネルのデジタル放送信号に含まれる映像信号の復号と、番組表情報を処理して出力する処理とを行なう。番組表情報記憶手段は、映像信号受信処理手段の出力する番組表情報を記憶する。番組表作成手段は、番組表情報記憶手段が記憶する番組表情報により所定の番組表画面を作成する。映像処理手段は、映像信号受信処理手段の出力する映像信号を表示部に出力する。チャンネル切替手段は、ユーザからチャンネル切替指示を受けると、映像信号受信処理手段に、チャンネル切替指示により指定されたチャンネルのデジタル放送信号に含まれる映像信号の復号及び番組表情報の処理を開始させ、復号済み映像信号を映像処理手段へ、処理済み番組表情報を番組表情報記憶手段へ、それぞれ出力させる。制御手段は、ユーザからのチャンネル切替操作について、そのチャンネル切替操作が、ある範囲の時間間隔で連続して行なわれ、その切替操作回数があるしきい値と等しい回数である場合、映像処理手段を制御して、映像信号に代えて番組表画面を表示部に表示させる。一方、ユーザのチャンネル切替操作が、前述した条件を満たさない場合、チャンネル切替手段が映像処理手段を制御して、指定されたチャンネルの映像信号を表示部に表示させる。
【００１７】
このデジタル放送受信装置によれば、ユーザがある範囲の時間間隔で連続してあるしきい値以上チャンネル切替を行なうと、この操作をザッピングと判断し、番組表を表示する。これにより、ユーザは、ザッピングを行なっている際、自発的な作業をすることなくＥＰＧを確認することができ、他のチャンネルでどんな番組が放映されているのか容易に確認することができる。
【００１８】
好ましくは、映像信号受信処理手段は、デジタル放送信号を受信し、指定されたチャンネルのデジタル放送信号に含まれる映像信号を復号する処理を行なうための手段と、デジタル放送信号を受信し、指定されたチャンネルのデジタル放送信号に含まれる番組表情報を処理して出力する処理を行なうための番組表受信処理手段とを含む。
【００１９】
映像信号受信処理手段において、映像信号を復号する処理を行なうための手段は、ユーザが指定するチャンネルの映像信号を復号し、映像処理手段へ出力する。番組表受信処理手段は、ユーザが指定するチャンネルの番組表情報を処理し、番組表情報記憶手段へ出力する。
【００２０】
このデジタル放送受信装置によれば、ユーザがチャンネルを切替えるたびに、その新たなチャンネルの番組情報が取得できる。番組情報を取得するために特別な作業は必要ない。
【００２１】
本発明の第２の局面に係るデジタル放送受信装置の制御方法は、デジタル放送信号を受信し、指定されたチャンネルのデジタル放送信号に含まれる映像信号を復号する処理と、番組表情報を処理して出力する処理とを行なうための映像信号受信処理手段と、映像信号受信処理手段から出力される番組表情報を記憶するための番組表情報記憶手段と、番組表情報記憶手段に記憶された番組表情報を用いて所定の番組表画面を作成するための番組表作成手段と、映像信号受信処理手段の出力を受けるように接続され、映像信号を表示部に出力するための映像処理手段と、ユーザからチャンネル切替指示を受けたことに応答して、映像信号受信処理手段を制御して、チャンネル切替指示により指示されるチャンネルのデジタル放送信号に含まれる映像信号及び番組表情報を出力させるためのチャンネル切替手段と、予め定められた範囲の時間間隔をおいて連続するチャンネル切替指示を、所定のしきい値と等しい回数受けたことに応答して、番組表画面を映像信号に代えて表示部に出力するように映像処理手段を制御するための制御手段とを含むデジタル放送受信装置において、表示部に番組表画面を表示させるための、デジタル放送受信装置の制御方法である。制御方法は、チャンネル切替手段が、ユーザからチャンネル切替指示を受けたことに応答して、映像信号受信処理手段を制御して、チャンネル切替指示により指示されるチャンネルのデジタル放送信号に含まれる映像信号及び番組表情報を出力させるステップと、制御手段が、予め定められた範囲の時間間隔をおいて連続するチャンネル切替指示を、所定のしきい値と等しい回数受けたことに応答して、番組表画面を映像信号に代えて表示部に出力するように映像処理手段を制御するステップとを含む。
【００２２】
本制御方法は、ユーザからチャンネル切替指示を受けると、映像信号受信処理手段に、チャンネル切替指示により指定されたチャンネルのデジタル放送信号に含まれる映像信号の復号及び番組表情報の処理を開始させ、復号済み映像信号を映像処理手段へ、処理済み番組表情報を番組表情報記憶手段へ、それぞれ出力させる。制御方法は、さらに、ユーザからのチャンネル切替操作について、その操作がある範囲の時間間隔で連続して行なわれ、その切替操作回数があるしきい値と等しい回数である場合、映像処理手段を制御して、番組表作成手段により作成された番組表画面を、映像信号に代えて表示部に表示させる。一方、ユーザのチャンネル切替操作が、前述した条件を満たさない場合、制御方法は、チャンネル切替手段の機能により指定されたチャンネルの映像信号を表示部に表示させる。
【００２３】
この制御方法によれば、ユーザのチャンネル切替操作がある条件を満たすと、この操作をザッピングと判断し、番組表を表示する。一方、ある条件を満たさない場合、切替先チャンネルの映像信号を表示する。これにより、ユーザは、ザッピングを行なっている際、自発的な作業をすることなくＥＰＧを確認することができ、他のチャンネルでどんな番組が放映されているのか容易に確認することができる。
【００２４】
本発明の第３の局面に係るコンピュータプログラムは、デジタル放送信号を受信し、指定されたチャンネルのデジタル放送信号に含まれる映像信号を復号する処理と、番組表情報を処理して出力する処理とを行なうための映像信号受信処理手段と、映像信号受信処理手段から出力される番組表情報を記憶するための番組表情報記憶手段と、映像信号受信処理手段の出力を受けるように接続され、映像信号を表示部に出力するための映像処理手段と、映像信号受信処理手段、番組表情報記憶手段、及び映像処理手段を制御可能なように設けられたコンピュータとを含む、デジタル放送受信装置において、コンピュータにより実行されることにより、表示部に番組表画面を表示させるように映像信号受信処理手段、番組表情報記憶手段、及び映像処理手段を制御するためのコンピュータプログラムである。コンピュータプログラムは、コンピュータを、番組表情報記憶手段に記憶された番組表情報を用いて所定の番組表画面を作成するための番組表作成手段と、ユーザからチャンネル切替指示を受けたことに応答して、映像信号受信処理手段を制御して、チャンネル切替指示により指示されるチャンネルのデジタル放送信号に含まれる映像信号及び番組表情報を出力させるためのチャンネル切替手段と、予め定められた範囲の時間間隔をおいて連続するチャンネル切替指示を、所定のしきい値と等しい回数受けたことに応答して、番組表画面を映像信号に代えて表示部に出力するように映像処理手段を制御するための制御手段として機能させる。
【００２５】
このコンピュータプログラムは、番組表情報記憶手段に記憶された番組表情報を用いて番組表画面を作成する番組表作成手段としてコンピュータを機能させる。そして、ユーザからチャンネル切替指示を受けると、映像信号受信処理手段に、チャンネル切替指示により指定されたチャンネルのデジタル放送信号に含まれる映像信号の復号及び番組表情報の処理を開始させ、復号済み映像信号を映像処理手段へ、処理済み番組表情報を番組表情報記憶手段へ、それぞれ出力させる。本コンピュータプログラムは、さらに、ユーザからのチャンネル切替操作について、その操作がある範囲の時間間隔で連続して行なわれ、その切替操作回数があるしきい値と等しい回数である場合、映像処理手段を制御して、映像信号に代えて番組表画面を表示部に表示させる。一方、ユーザのチャンネル切替操作が、前述した条件を満たさない場合、チャンネル切替手段の機能により指定されたチャンネルの映像信号を表示部に表示させる。
【００２６】
このコンピュータプログラムによれば、ユーザのチャンネル切替操作がある条件を満たすと、この操作をザッピングと判断し、番組表を表示する。一方、ある条件を満たさない場合、切替先チャンネルの映像信号を表示する。これにより、ユーザは、ザッピングを行なっている際、自発的な作業をすることなくＥＰＧを確認することができ、他のチャンネルでどんな番組が放映されているのか容易に確認することができ、未来の行動についてより簡易に計画することができるようになる。
【発明の効果】
【００２７】
以上のように本発明に係るデジタル放送受信装置によれば、ユーザはザッピングの途中で特別な操作をすることなくＥＰＧを確認することができ、他のチャンネルでどんな番組が放映されているのか容易に確認することができる。これにより、ユーザは次の行動を容易に計画することができる。また、ＥＰＧが表示されることにより、チャンネル切替時の切替先チャンネルの映像表示までの待ち時間を減少させることができる。そのため、ユーザが無駄な時間を過ごすことを回避することができる。
【発明を実施するための最良の形態】
【００２８】
以下、本発明の実施の形態に係るデジタルテレビ放送受信装置について説明する。以下の説明及び図面では、同一の部品には同一の参照符号及び名称を付してある。それらの機能も同一である。したがって、それらについての詳しい説明は繰返さない。
【００２９】
［第１の実施の形態］
図２に、以下に説明する本願発明の第１の実施の形態に係るデジタルテレビ放送受信装置におけるチャンネル切替の際の表示映像シーケンス５０を示す。本実施の形態に係る装置は、ユーザのチャンネル切替操作について、その切替操作の時間間隔及び回数を計測し、当該チャンネル切替操作がザッピングであるか否かを判定し、ザッピングであると判定した場合は、その時点でユーザによる指示なしにＥＰＧを表示する。
【００３０】
すなわち、図２を参照して、最初にユーザがＣＨ２（映像７０）を視聴していたものとする。その後、ユーザは選局操作６０に示すように、ＣＨ４（映像７２）へチャンネル切替を指示した後、ＣＨ６（映像７４）へ、さらにＣＨ８（映像７６）へとチャンネル切替をしたものとする。この時、本装置では、ユーザのチャンネル切替が一定の時間期間より短い間隔で連続して行なわれ、チャンネル切替回数がある一定回数に到達した場合、これをザッピングと判断して、画面７８のようなＥＰＧを表示する。
【００３１】
このような動作は、本実施の形態に係るデジタルテレビ放送受信装置において、以下の処理を行なうことにより可能になる。ＣＨ２からＣＨ４へのチャンネル切替時、チューナによるＣＨ４の信号受信とデコードとが終わり、その映像７２が表示されるまでの時間期間８０の長さは、図１に示される従来の場合と同様である。その後、ユーザがＣＨ４の映像７２を時間期間８２において視聴した後、再びＣＨ４よりＣＨ６へチャンネル切替を行なったものとする。この時、時間期間８０と時間期間８２の和を測定し、その時間の長さがある一定の値よりも短い場合、このチャンネル切替操作はザッピングの可能性があると判定し、チャンネル切替回数を１とする。その後のチャンネル切替についても同様の処理を行ない、チャンネル切替の間隔が一定の値より短ければ、チャンネル切替回数としてカウントしてゆく。チャンネル切替間の時間間隔がある時間よりも長ければザッピングではないと判断し、切替回数をリセットする。このようにしてカウントしたチャンネル切替回数が、あるしきい値、例えば４回以上になればザッピングと判定され、ＥＰＧを表示する。
【００３２】
図２に示す例においては、ＣＨ２からＣＨ４へ、ＣＨ４からＣＨ６へ、ＣＨ６からＣＨ８への３回のチャンネル切替操作のそれぞれが、ある値よりも短時間で行なわれ、ＣＨ８からＣＨ１０へのチャンネル切替操作において、このユーザの一連の操作はザッピングであると判定され、画面７８のようなＥＰＧが表示される。なお、これはユーザによるＥＰＧ表示指示とは別に表示されるものである。
【００３３】
図３に、本実施の形態においてザッピング操作の後表示されるＥＰＧ１００を示す。ＥＰＧ１００は、複数のチャンネルに関する情報を示す。各チャンネルの情報は、放送局ロゴ、その放送局に対応する、図４に示すリモコン１５４のボタン番号、各放送局へ割り当てられた３桁のチャンネル番号、放送局名、及び放送中の番組名を含む。現在テレビ受信機により受信されているチャンネルについては、図３の行１１０により示されるように、他の行と区別した形態で表示される。
【００３４】
これにより、ユーザは、テレビ視聴について、ザッピングを行なっている際、自発的な作業をすることなくＥＰＧを確認することができる。その結果、他のチャンネルでどんな番組が放映されているのか容易に確認することができ、未来の行動についてより簡易に計画することができるようになる。
【００３５】
−構成−
図４に、本発明の第１の実施の形態に係るデジタルテレビ放送受信装置１２０の構成をブロック図形式で示す。図４を参照して、デジタルテレビ放送受信装置１２０は、デジタルテレビ放送信号を受信するアンテナ端子１３０と、リモートコントローラ（以下「リモコン」と呼ぶ。）１５４等から与えられたチャンネル選局信号により指定されたチャンネルのデジタル放送信号を選局して出力するためのデジタルテレビ放送受信処理ブロック１３２（以下「受信処理ブロック１３２」と呼ぶ。）と、受信処理ブロック１３２に接続され、所定の契約を締結した受信者のみが視聴可能な映像信号（限定受信信号）のデコードに必要な限定受信認証鍵を格納する限定受信認証鍵格納部１３４とを含む。限定受信信号とは、例えば有料テレビ放送など、スクランブルした信号であって、限定受信認証鍵を持つ受信装置のみがスクランブルを解除することができるような信号のことをいう。
【００３６】
デジタルテレビ放送受信装置１２０はさらに、受信処理ブロック１３２の出力する受信信号を受けるように接続され、与えられた受信信号を処理して映像出力信号を出力する映像処理部１３６と、映像処理部１３６の出力する映像出力信号を受けるように接続され、その映像を表示するための表示部１４０と、受信処理ブロック１３２の出力する受信信号を受けるように接続され、受信信号を処理して音声出力信号を出力する音声処理部１３８と、音声処理部１３８からの音声出力信号を受けて音声に変換するための音声出力部１４２とを含む。
【００３７】
デジタルテレビ放送受信装置１２０はさらに、受信処理ブロック１３２、映像処理部１３６、及び音声処理部１３８を含む複数の入出力先の間での双方向の信号の伝送を行なうためのバス１４３と、バス１４３に接続され、図２に示されるようなチャンネル切替時の番組表表示を実現するための所定のプログラム、及びその他の制御を行なうためのプログラムを実行する、ＣＰＵ（中央演算処理装置）からなる中央処理部１４４と、バス１４３に接続され、ＥＰＧ、中央処理部１４４が実行するプログラム、及び中央処理部１４４がプログラム実行の際に使用する作業変数等を当該処理時に一時的に記憶するための主記憶部１４６と、バス１４３に接続され、中央処理部１４４が実行するプログラム及びその他の情報を格納し、中央処理部１４４の制御に従って、必要な情報を必要なときに主記憶部１４６等の他の処理ブロックに出力し、他のブロックからの出力を格納するための、不揮発性の記憶装置からなる補助記憶部１４８と、バス１４３に接続され、時刻情報を出力する時計１５０と、バス１４３に接続され、リモコン１５４等からのチャンネル選択指示等の赤外線信号を受光し、中央処理部１４４に対しチャンネル切替コード等の制御コードとして与えるためのユーザ入力受付部１５２と、ユーザ入力受付部１５２に接続され、ユーザからの指示をユーザ入力受付部１５２に与えるための操作パネル１５６とを含む。
【００３８】
なお、中央処理部１４４は、図４に示すタイマーを含む。タイマーは、ユーザのチャンネル切替操作の時間間隔を計測するための手段として設置されている。また、主記憶部１４６に一時的に記憶されるＥＰＧは、中央処理部１４４の制御により、受信処理ブロック１３２により受信、及び分離された後、処理され、バス１４３を介して主記憶部１４６へ出力されたものである。また、中央処理部１４４は、リモコン１５４等から与えられたユーザによる番組表表示指示を実現するための処理も行なう。
【００３９】
映像処理部１３６の行なう処理は、図４に示すように、チャンネルの選択などの表示選択処理、映像及び文字情報の表示を合成するための映像／文字表示合成処理、映像を含まず、ＥＰＧ及び文字情報のみからなる画面を作成するための文字表示画面作成処理、インターレース方式の映像表示装置向けに作成された映像信号をプログレッシブ方式の装置向けの映像信号に変換するための映像ＩＰ変換処理、低解像度の映像を拡大表示したときの映像の劣化を防ぐスケーリング処理、デコードした映像を一時蓄積してタイムシフト再生などを可能にするための映像一時蓄積処理、受信した信号中の文字情報を蓄積する文字情報蓄積処理、及び映像に対し種々の加工をするためのイフェクト処理等を含む。
【００４０】
同様に、音声処理部１３８の行なう処理は、図４に示すように、チャンネルの選択などの音声選択処理、日本語と英語等複数の音声をユーザが選択した場合に音声を合成するための音声合成処理、ユーザからの指示により音量を制御する音量制御処理、及び音声に対し種々の加工をするためのイフェクト処理等を含む。
【００４１】
図５に受信処理ブロック１３２の構成図を示す。図５を参照して、受信処理ブロック１３２は、アンテナ端子１３０により受信されたデジタルテレビ放送信号を受けるように接続され、バス１４３を介して中央処理部１４４から与えられたチャンネル選局信号により指定されたチャンネルのデジタル放送信号を選局して出力するためのデジタル放送フロントエンド処理部チューナ（以下「チューナ」と呼ぶ。）１６０と、チューナ１６０に接続され、チューナ１６０で受信した信号を復調するための復調部１６２と、復調部１６２に接続され、復調部１６２で復調された信号を情報の種類によって分離する多重信号分離部１６４とを含む。
【００４２】
多重信号分離部１６４により分離される信号の種類としては、番組特定情報及びサービス情報パケット、映像信号パケット、及び音声信号パケットがある。番組特定情報及びサービス情報パケットにより伝送される情報のうち、番組特定情報は、番組を選択するために必要な技術的情報を含む。サービス情報は、ＥＰＧ情報、文字情報、及び限定受信情報を含む。ＥＰＧの内容は前述のとおりである。文字情報は、チャンネル情報及び放送番組に関する情報等を含む。限定受信情報は、映像信号パケットや音声信号パケットが限定受信情報であった場合、それを示す情報であり、その暗号を解除するために必要な情報である。
【００４３】
受信処理ブロック１３２はさらに、多重信号分離部１６４に接続され、多重信号分離部１６４の出力のうち、番組特定情報及びサービス情報を受け、各情報に対してそれぞれ所定の処理を行なうための番組特定情報・サービス情報処理部１６６を含む。
【００４４】
番組特定情報・サービス情報処理部１６６により実行される処理は、ＥＰＧ情報を中央処理部１４４の制御に従い処理し、映像処理部１３６へ出力する処理を含む。
【００４５】
番組特定情報・サービス情報処理部１６６により実行される処理は、さらに、番組特定情報及びサービス情報パケットにより伝送される限定受信情報を処理し、映像信号暗号解除処理部１６８及び音声信号暗号解除処理部１７０へ出力する処理を含む。
【００４６】
受信処理ブロック１３２はさらに、多重信号分離部１６４、番組特定情報・サービス情報処理部１６６、及び限定受信認証鍵格納部１３４に接続され、多重信号分離部１６４の出力する映像信号パケットと、番組特定情報・サービス情報処理部１６６の出力する限定受信情報と、限定受信認証鍵格納部１３４の出力する限定受信認証鍵とを受け、受信された映像信号パケットが限定受信信号であるときには限定受信認証鍵を用いてその暗号を解除して出力し、それ以外のときには映像信号パケットをそのまま出力するための映像信号暗号解除処理部１６８と、多重信号分離部１６４の出力する音声信号パケットと、番組特定情報・サービス情報処理部１６６の出力する限定受信情報と、限定受信認証鍵格納部１３４からの限定受信認証鍵とを受けるように接続され、受信された音声信号パケットが限定受信信号であるときには限定受信認証鍵を用いてその暗号を解除して出力し、それ以外のときには単に音声信号パケットを出力するための音声信号暗号解除処理部１７０と、映像信号暗号解除処理部１６８の出力を受けるよう接続され、その出力信号から映像信号を復号して映像処理部１３６に与える映像信号復号部１７２と、音声信号暗号解除処理部１７０の出力を受けるよう接続され、その出力信号から音声信号を復号して音声処理部１３８に与える音声信号復号部１７４とを含む。なお、以下の説明では、受信された映像信号はすべて限定受信信号であるものとし、そのデコードに必要な限定受信認証鍵はすべて限定受信認証鍵格納部１３４に格納されているものとする。
【００４７】
図６は、図４に示す中央処理部１４４により実行されるチャンネルメイン制御プログラムを示す。本プログラムの実行は、デジタルテレビ放送受信装置１２０の電源が投入されたことに応答して開始される。
【００４８】
図６を参照して、中央処理部１４４が実行するプログラムは、図４に示すリモコン１５４及び操作パネル１５６によるユーザのチャンネル切替操作をユーザ入力受付部１５２が受信したか否かを判定し、判定結果に応じて制御の流れを分岐させるステップ１８０と、ステップ１８０においてユーザによるチャンネル切替操作があると判定されたことに応答して実行され、その切替操作の回数を示す変数ｎに１を代入するステップ１８２とを含む。すなわち、装置１２０の電源が投入された後、ユーザが１回目のチャンネル切替操作を行なった時点で、ステップ１８０においてＹＥＳと判定される。なお、ステップ１８０において、ユーザによるチャンネル切替操作がないと判定された場合、処理はステップ１８０へ戻る。なお、以下、切替回数を計数するステップにおいて、切替回数を示す変数ｎの値は主記憶部１４６が記憶する。
【００４９】
本プログラムはさらに、図６を参照して、ステップ１８２の後、タイマーをスタートさせるステップ１８４と、ステップ１８４の後、現在指定されているチャンネルを記憶するステップ１８８と、ステップ１８８の後、ユーザによるチャンネル切替操作があるまで待機するステップ１９０と、ユーザによるチャンネル切替操作があると実行され、タイマーの計測をストップするステップ１９２と、ステップ１９２の後、予め設定される時間期間Ｔ１及びＴ２に対し、タイマーによる計測値ｔがＴ１≦ｔ≦（Ｔ１＋Ｔ２）であるか否かを判定し、判定によって処理を分岐させるステップ１９４とを含む。なお、以下の処理において、時間期間Ｔ１、Ｔ２の値は補助記憶部１４８に格納されており、選局されたチャンネルが何かと、チャンネル切替間隔ｔの測定値とは主記憶部１４６に記憶保存される。また、ザッピングか否かを判定するためには、ある範囲の時間間隔で連続してＮ回チャンネルが切替られたか否かにより判定する。この値Ｎも補助記憶部１４８に格納されている。
【００５０】
時間期間Ｔ１は、切替指示から、切替先チャンネルの正常な映像表示が可能になるまでの間の時間期間である。デジタルテレビ受信装置１２０の構成、及び構成要素それぞれの仕様等により、時間期間Ｔ１の値は変化する。また、Ｔ２は、ザッピングが行なわれた場合に、切替先チャンネルの映像が表示されてから、ユーザがその内容を確認するために一般的に要する時間を設定する。
【００５１】
ステップ１９４の処理について以下に説明する。ステップ１９４における判定は、当該チャンネル切替操作がザッピングの一環であるか否かを判定するために行なわれる。判定基準には、チャンネル切替操作の時間間隔を用いる。チャンネル切替間隔ｔが時間期間Ｔ１未満である場合、時間期間Ｔ１が切替先チャンネルの正常な映像表示が可能になるまでの待ち時間であるため、ユーザは切替先チャンネルの映像表示を確認していないことになる。このことから、この場合のチャンネル切替は、ザッピングの一環ではないと判定される。また、切替間隔ｔが時間期間Ｔ１と時間期間Ｔ２との和を超えた値である場合を考える。時間期間Ｔ１と時間期間Ｔ２の内容は前述のとおりであり、これらを合わせた時間期間は、一般的なザッピングの際に要する、チャンネル切替操作の時間間隔である。このため、切替間隔ｔがＴ１＋Ｔ２より長い場合は、ユーザが、同一チャンネルを、一般的なザッピングより長く視聴していると想定される。このため、この場合は当該チャンネル切替操作をザッピングと判定しない。ステップ１９４においてＴ１≦ｔ≦（Ｔ１＋Ｔ２）であると判定された場合、当該チャンネル切替操作をザッピングの一環と判定する。
【００５２】
本プログラムはさらに、図６を参照して、ステップ１９４においてＴ１≦ｔ≦（Ｔ１＋Ｔ２）であると判定されたことに応答して実行され、切替先チャンネルが記憶されているチャンネル、すなわち、直前に視聴していたｎ個のチャンネルと、異なるチャンネルか否かを判定し、判定によって処理を分岐させるステップ１９６を含む。
【００５３】
ステップ１９６の処理について説明する。ステップ１９６における判定は、ステップ１９４における判定と同様、当該チャンネル切替操作がザッピングの一環であるか、そうでないかを判定するために行なわれる。ここでは、ステップ１９４とは異なり、ユーザが切替指示により選局するチャンネルをその判定基準にしている。一般的にザッピングは、チャンネル番号の増大する方向、又は逆方向のいずれか一方向のみで行なわれる。したがって、ユーザが選局したチャンネルが、当該切替指示の直前に選局されていたチャンネルであれば、当該切替指示は、ザッピングではないと判定する。一方、当該チャンネル切替指示で選局されたチャンネルが直前に選局されていたｎ個のチャンネルのいずれでもない場合、この指示はザッピングの一環と判定される。
【００５４】
なお、ステップ１９４において、Ｔ１≦ｔ≦（Ｔ１＋Ｔ２）でないと判定された場合、処理はステップ１８０へ戻る。
【００５５】
本プログラムはさらに、図６を参照して、ステップ１９６において、切替先チャンネルが記憶されているｎ個のチャンネルのいずれとも異なると判定されたことに応答して実行され、チャンネル切替回数ｎに１を加算するステップ１９８と、ステップ１９８の後、タイマーの計測をスタートさせるステップ２００と、ステップ２００の後、切替先チャンネルを記憶するステップ２０２と、ステップ２０２の後、ユーザのチャンネル切替操作回数ｎ＝Ｎであるか否かを判定して判定結果にしたがい処理を分岐させるステップ２０４と、ステップ２０４において、ユーザの切替回数ｎ＝Ｎであると判定されたことに応答して実行され、タイマーの計測をストップし、記憶させたｎ個のチャンネルの情報をクリア（削除）するステップ２０６と、ステップ２０６の後、図３に示すようなＥＰＧ１００の表示を行なうステップ２０８とを含む。なお、ステップ２０４において、ユーザのチャンネル切替回数ｎ＝Ｎでないと判定された場合、処理はステップ１９０へ戻る。
【００５６】
本プログラムはさらに、ステップ１９６において、切替先チャンネルが既に記憶されているｎ個のチャンネルのいずれかと同一のチャンネルであると判定されたことに応答して実行され、記憶されたｎ個のチャンネルをクリア（削除）し、その後、処理はステップ１８０へ戻るステップ２１０とを含む。
【００５７】
なお、図６を参照して、ステップ１８２及びステップ１９８において計測される、チャンネル切替回数ｎの値と、ステップ１８８及びステップ２０２において記憶されるチャンネル番号とは、主記憶部１４６へ記憶される。
【００５８】
−動作−
以上に構成を説明したこのデジタル放送受信装置１２０は、以下のように動作する。図４を参照して、デジタルテレビ放送受信装置１２０の電源が投入されると、図５に示すチューナ１６０は初期設定により設定されたチャンネルの信号の受信を開始し、中央処理部１４４は補助記憶部１４８に格納されたプログラムの実行を開始する。なお、以下に示す動作は、ユーザがリモコン１５４等を介してチャンネル切替操作を行なったときにも実行される。チャンネル切替操作を示す赤外線信号はユーザ入力受付部１５２により受信され、受信信号が中央処理部１４４に与えられる。
【００５９】
図５を参照し、チューナ１６０は、中央処理部１４４の制御により、指定されたチャンネルの受信を行なうため、その周波数設定を変更したのち、新しい周波数と同調し、受信した信号を復調部１６２に与える。復調部１６２は、チューナ１６０により受信し出力された信号を復調し、その信号を多重信号分離部１６４へ与える。多重信号分離部１６４は、復調された信号をその情報の種類によって分離し、そのうち、番組特定情報及びサービス情報パケットを番組特定情報・サービス情報処理部１６６へ、映像信号パケットを映像信号暗号解除処理部１６８へ、音声信号パケットを音声信号暗号解除処理部１７０へ、それぞれ出力する。
【００６０】
番組特定情報・サービス情報処理部１６６は、番組特定情報及びサービス情報パケットに含まれる情報のうち、限定受信情報を映像信号暗号解除処理部１６８及び音声信号暗号解除処理部１７０へ与え、それ以外の情報については、中央処理部１４４の指示に応じて処理を行ない、映像処理部１３６又は中央処理部１４４へ出力する。なお、番組特定情報・サービス情報処理部１６６が受ける、限定受信情報以外の情報には、ＥＰＧ情報の他に、文字情報である、チャンネル情報、「現在放送中の番組」情報、及び「次に放送予定の番組」情報を含む。
【００６１】
映像信号暗号解除処理部１６８は、多重信号分離部１６４から出力された映像信号パケットについて、番組特定情報・サービス情報処理部１６６から与えられた限定受信情報と、限定受信認証鍵格納部１３４から与えられた限定受信認証鍵とにより、その暗号を解除して映像信号復号部１７２へ出力する。映像信号復号部１７２は暗号解除済みの映像信号を復号し、映像処理部１３６へ与える。
【００６２】
映像処理部１３６は、与えられた、ＥＰＧ情報、文字情報及び映像信号に対し、それぞれ、前述した所定の処理を行なった後、ＥＰＧ情報を主記憶部１４６へ、文字情報及び映像信号を表示部１４０へ、それぞれ出力する。ＥＰＧ情報、文字情報及び映像信号は、それぞれ、中央処理部１４４の制御に従い表示部１４０より出力され、ユーザに提供される。
【００６３】
ＥＰＧ情報の受信、処理及び出力方法は、放送形態により異なる。ＢＳデジタル放送の場合は、各放送局が全局のＥＰＧ情報を送出している。ユーザがＢＳデジタルのチャンネルを選択している場合、全局のＥＰＧ情報が映像信号と共に受信処理ブロック１３２により受信され、中央処理部１４４の制御に従い主記憶部１４６へ一時保存される。一方、地上デジタル放送の場合は、各放送局が自局のＥＰＧ情報を送出している。ユーザが地上デジタルのチャンネルを選択している場合、当該チャンネルのＥＰＧ情報が映像信号と共に受信処理ブロック１３２により受信され、中央処理部１１４の制御に従い主記憶部１４６へ一時保存される。この場合、受信していない他のチャンネルのＥＰＧ情報は、デジタルテレビ放送受信装置１２０の電源が切断され、スタンバイ状態になった時に、受信処理ブロック１３２が、全ての放送局からそれぞれ送出されている、それぞれのＥＰＧ情報を受信し、主記憶部１４６に集められ記憶される。ＥＰＧ表示を行なう際、ＢＳデジタル放送及び地上デジタル放送のいずれの場合も、記憶されたＥＰＧ情報は中央処理部１４４の制御に従い主記憶部１４６から読出され、中央処理部１４４で動作するプログラムにより表示可能な状態に加工された後、映像処理部１３６を介して表示部１４０へ表示される。
【００６４】
音声信号暗号解除処理部１７０は、多重信号分離部１６４から出力された音声信号パケットについて、番組特定情報・サービス情報処理部１６６から与えられた限定受信情報と、限定受信認証鍵格納部１３４から与えられた限定受信認証鍵とにより、その暗号を解除して音声信号復号部１７４へ出力する。音声信号復号部１７４は暗号解除済みの音声信号を復号し、音声処理部１３８へ与える。
【００６５】
音声処理部１３８は、音声信号に対し前述した所定の処理を行った後、処理済みの音声信号を音声出力部１４２へ与える。音声信号は、音声出力部１４２より出力されることによりユーザに提供される。
【００６６】
以下、図２に示すチャンネル切替操作を仮定し、図４を参照して受信処理ブロック１３２、限定受信認証鍵格納部１３４、映像処理部１３６、音声処理部１３８、表示部１４０、音声出力部１４２、中央処理部１４４及びユーザ入力受付部１５２の動作について説明する。ここでは、時間期間Ｔ１は２秒、時間期間Ｔ２は３秒、しきい値Ｎは４と設定されていたとする。ユーザが、ＣＨ２の放送する天気予報番組の画面７０を視聴した後、図４に示すリモコン１５４を介してＣＨ４へのチャンネル切替操作を行なったものとする。チャンネル切替操作を示す赤外線信号はユーザ入力受付部１５２により受信され、受信信号が中央処理部１４４に与えられ、図６に示すチャンネルメイン制御プログラムを開始する。チャンネル切換操作があったので、ステップ１８０の判定結果はＹＥＳとなる。その結果処理はステップ１８２へ進む。
【００６７】
ステップ１８２では、チャンネル切替回数ｎに１を代入する。ステップ１８４では、中央処理部１４４に含まれるタイマーをスタートさせる。ステップ１８８では、切替先チャンネルが何（ＣＨ４）であるかを記憶する。このとき記憶されるチャンネルは、電源を投入してから１個目ということになる。処理はステップ１９０へ進む。
【００６８】
ステップ１９０では、ユーザにより新たにチャンネル切替操作があるか否かを判定する。この場合、図２に示すように、ＣＨ４からＣＨ６へのチャンネル切替操作の時点で、判定結果はＹＥＳとなる。ステップ１９２においてタイマーの計測をストップする。図２に示すチャンネル切替操作において、１回目と２回目の切替間隔ｔの長さは期間８０と期間８２との和である。この時の期間８０が２秒間、期間８２が２秒間であり、その和、すなわち切替間隔ｔは４秒間であったとする。この時、Ｔ１≦ｔ≦（Ｔ１＋Ｔ２）である。これによりステップ1９４における判定結果はＹＥＳとなる。ステップ１９６の判定結果はＹＥＳとなる。ステップ１９８では、チャンネル切替回数ｎに１を加算し、切替回数ｎを２とする。
【００６９】
ステップ２００では、再びタイマーをスタートさせる。この場合、図２に示す、ＣＨ４からＣＨ６へのチャンネル切替指示の時点から、切替間隔ｔの計測を始める。ステップ２０２では、切替先チャンネルが何（ＣＨ６）であるかを記憶する。この時記憶されるチャンネルは、電源投入後２個目ということになり、記憶されるチャンネルの数は切替回数ｎと同一となる。ステップ２０４において、この場合、ｎ＝２≠４により判定結果はＮＯとなる。
【００７０】
ステップ１９０において、ユーザが図２に示すＣＨ６からＣＨ８へのチャンネル切替操作を、ＣＨ４からＣＨ６へのチャンネル切替時と同じ時間条件で行なった時、ステップ１９０においてＹＥＳと判定され、その後、処理はＣＨ４からＣＨ６へのチャンネル切替時と同様に進み、ステップ１９０へ戻る。この時、ｔ＝４秒、チャンネル切替回数ｎはｎ＝２＋１＝３、記憶されるチャンネルはＣＨ８となる。なお、この場合、切替間隔ｔは、チャンネル切替指示からＣＨ６の画面７４が表示されるまでの時間期間８４と、ユーザが画面７４を視聴した時間期間８６との和である。
【００７１】
次に、ユーザが図２に示すＣＨ８からＣＨ１０へのチャンネル切替操作を、ＣＨ４からＣＨ６へのチャンネル切替時と同じ時間条件で行なうと、処理はステップ２０４まで同様に進む。この時、ｔ＝４秒、チャンネル切替回数ｎはｎ＝３＋１＝４、記憶されるチャンネルはＣＨ１０である。なお、この場合、切替間隔ｔは、チャンネル切替指示からＣＨ８の画面７６が表示されるまでの時間期間８８と、ユーザが画面７６を視聴した時間期間９０との和である。ステップ２０４では、この場合、ｎ＝４＝Ｎであるので、ＹＥＳと判定され、ステップ２０６へ進む。
【００７２】
ステップ２０６では、ユーザの一連のチャンネル切替操作をザッピングと判断し、タイマーの測定をストップし、今までの切替先チャンネル（ＣＨ４、ＣＨ６、ＣＨ８及びＣＨ１０）の記憶を削除する。ステップ２０８では、図２に示すようにＥＰＧからなる画面７８を表示部１４０へ表示する。このＥＰＧは図３に示すＥＰＧ１００の態様をとる。
【００７３】
なお、ザッピングを行なっている途中で、一度選択したチャンネルへの切替を指示した場合、ステップ１９６においてＮＯと判定され、ステップ２１０において記憶された切替先チャンネルの情報を削除し、ステップ１８０へ戻る。
【００７４】
以上のように本実施の形態に係るデジタルテレビ放送受信装置１２０によれば、ユーザはザッピングの途中で特別な操作をすることなくＥＰＧを確認することができ、他のチャンネルでどんな番組が放映されているのか容易に確認することができる。これにより、ユーザは次の行動を容易に計画することができる。また、ＥＰＧが表示されることにより、チャンネル切替時の切替先チャンネルの映像表示までの待ち時間を減少させることができる。そのため、ユーザが無駄な時間を過ごすことを回避することができる。
【００７５】
−変形例１−
番組表として、図７に示すＥＰＧ２４０が表示されてもよい。ＥＰＧ２４０は、図３に示すＥＰＧ１００と同様であり、現在受信中のチャンネルの情報が行２５０に表示される。一方、当該チャンネルで現在放送中の番組“番組Ｄ”に関する詳細な情報が表示される点が異なる。
【００７６】
−変形例２−
番組表として、図８に示すＥＰＧ２７０が表示されてもよい。ＥＰＧ２７０は、図３に示すＥＰＧ１００と比較すると、行２８０に示された現在受信中のチャンネルの情報だけではなく、表示されているすべてのチャンネルについて、それぞれのチャンネルで放送中の番組情報が表示される点が異なる。例えば、行２８０に示された現在受信中のチャンネルで放送中の番組情報“番組Ｄの番組情報”がこれにあたる。
【００７７】
−変形例３−
番組表として、図９に示すＥＰＧ３００が表示されてもよい。ＥＰＧ３００は、図３に示すＥＰＧ１００と比較すると、横方向に時間軸が付加されていることと、時間、放送局、チャンネル及び番組といったファクタに関して、現在時点で視聴されているのがどのチャンネル及び番組であるのかが、他と異なる色や形状で表示されていることと、の２点において差異がある。具体的には、受信中のチャンネルの情報が行３１０に、現在時刻が含まれる時間期間情報がセル３１２に、受信中のチャンネルで放送中の番組情報がセル３１４に示されている。
【００７８】
−変形例４−
番組表として、図１０に示すＥＰＧ３２０が表示されてもよい。ＥＰＧ３２０は、図９に示すＥＰＧ３００とほぼ同様であるが、時間軸の表示を現在時刻から約２時間以内としている点が、ＥＰＧ３００とは異なる。図９に示す行３１０、セル３１２及びセル３１４と同一の内容が、行３３０、セル３３２及びセル３３４において表示される。
【００７９】
−変形例５−
番組表として、図１１に示すＥＰＧ３４０が表示されてもよい。ＥＰＧ３４０は、図９に示すＥＰＧ３００とほぼ同様で、図１０に示すＥＰＧ３２０の情報に、さらに、受信中チャンネルで放送中の番組に関する詳細な情報を加えたものである。図９に示す行３１０、セル３１２及びセル３１４と同一の内容が、行３５０、セル３５２及びセル３５４において表示される。
【００８０】
［第２の実施の形態］
本実施の形態に係るデジタルテレビ受信装置は、受信処理ブロックを２つ含み、そのうちの一方を番組視聴のために、他方をＥＰＧ受信のために使用する。
【００８１】
−構成−
図１２に、本発明の第２の実施の形態に係るデジタルテレビ放送受信装置３８０の構成をブロック図形式で示す。図１２を参照して、デジタルテレビ放送受信装置３８０は、図４に示すデジタルテレビ放送受信装置１２０と似た構成を有している。ただしデジタルテレビ放送受信装置３８０は、図４に示す受信処理ブロック１３２に代えて、各々受信処理ブロック１３２と同一の構成を有する第１及び第２の受信処理ブロック１３２Ａ及び１３２Ｂを含む。本実施の形態では、第１及び第２の受信処理ブロック１３２Ａ及び１３２Ｂのうちの一方は通常の番組の視聴の為に使用され、他方は番組表に関する情報の受信のために配置される。
【００８２】
デジタルテレビ放送受信装置３８０はまた、図４に示す映像処理部１３６及び音声処理部１３８に代えて、いずれも第１及び第２の受信処理ブロック１３２Ａ及び１３２Ｂからの出力を受けることが可能であり、これら受信処理ブロックからの入力信号に対してそれぞれ映像処理部１３６及び音声処理部１３８と同様の処理を行なうための映像処理部３９８及び音声処理部４００を含む。映像処理部３９８は、第１及び第２の受信処理ブロック１３２Ａ及び１３２Ｂからの入力のうち、ＥＰＧ情報以外の情報は通常の番組の視聴に使用されている受信処理ブロックから受け、ＥＰＧ情報については他方の受信処理ブロックから受けるように構成されている。この切替は中央処理部１４４の制御により行なわれる。それ以外の点では映像処理部３９８及び音声処理部４００の構成は図４に示す映像処理部１３６及び音声処理部１３８とそれぞれ同一である。
【００８３】
−動作−
第１及び第２の受信処理ブロック１３２Ａ及び１３２Ｂはそれぞれ、中央処理部１４４により制御される。そのうち、通常の番組の視聴に使用される受信処理ブロックの動作は、第１の実施の形態における受信処理ブロック１３２の動作と同様である。一方、ＥＰＧの受信のために使用される受信処理ブロックは、通常の番組の受信処理とは独立に、受信可能な各チャンネルの信号を順番に受信して、そこからＥＰＧ情報を抽出し、主記憶部１４６に各チャンネル別に蓄積・更新する。
【００８４】
このデジタルテレビ放送受信装置３８０では、図６に示す処理も第１の実施の形態と全く同様に実行される。ただ、ステップ２０８で表示される番組表が、通常の番組を受信している受信処理ブロックではなく、番組表のみを受信する受信処理ブロックによって、番組の表示とは独立に蓄積されている点が異なる。
【００８５】
以上のように本実施の形態に係るデジタルテレビ放送受信装置３８０によれば、放送信号の受信から映像信号及びＥＰＧを表示させるまでのプロセスを、映像信号用の受信処理ブロック及びＥＰＧ表示用の受信処理ブロックにおいて、それぞれ独立して並行に実行させることができる。このため、ＥＰＧ表示をより迅速に行なうことができ、ユーザの満足度を向上させる。
【００８６】
−変形例−
本実施の形態においても、デジタルテレビ放送受信装置３８０におけるＥＰＧ表示として、図３に示すＥＰＧ１００の代りに、図７、図８、図９、図１０、及び図１１にそれぞれ示すＥＰＧ２４０、２７０、３００、３２０、及び３４０を表示してよいことはいうまでもない。さらに、ＥＰＧ１００の代わりに、図１３に示すような、各チャンネルの静止画を多数並べたマルチ画面４３０を作製して表示してもよい。この場合、ＥＰＧ情報を受信する受信処理ブロックが、受信可能なチャンネルの放送信号を順次受信し、それぞれのチャンネルの映像フレームを主記憶部１４６に一時的に記憶する。これら記憶された映像フレームと、補助記憶部１４８に予め格納されたマルチ画面４３０のレイアウトとに基づき、中央処理部１４４で実行されるマルチ画面作成プログラムがマルチ画面４３０を作成し、映像処理部３９８内のフレームメモリに書込むことによって表示部１４０にマルチ画面４３０が表示される。このプログラムを定期的に実行することにより、マルチ画面４３０に含まれる各チャンネルの映像フレームは、順次更新されていく。
【００８７】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【００８８】
【図１】従来の技術によるチャンネル切替時の表示シーケンスを示す模式図である。
【図２】本発明の第１の実施の形態に係るデジタルテレビ放送受信装置による、チャンネル切替時の映像シーケンスを模式的に示す図である。
【図３】第１の実施の形態に係るデジタルテレビ放送受信装置により表示されるＥＰＧ１００を示す図である。
【図４】第１の実施の形態に係るデジタルテレビ放送受信装置１２０の概略ブロック図である。
【図５】図４に示すデジタルテレビ放送受信処理ブロック１３２の概要ブロック図である。
【図６】デジタルテレビ放送受信装置１２０の中央処理部１４４で実行されるチャンネルメイン制御プログラムを示すフローチャートである。
【図７】第１の実施の形態の変形例１において、デジタルテレビ放送受信装置１２０により表示されるＥＰＧ２４０を示す図である。
【図８】第１の実施の形態の変形例２において、デジタルテレビ放送受信装置１２０により表示されるＥＰＧ２７０を示す図である。
【図９】第１の実施の形態の変形例３において、デジタルテレビ放送受信装置１２０により表示されるＥＰＧ３００を示す図である。
【図１０】第１の実施の形態の変形例４において、デジタルテレビ放送受信装置１２０により表示されるＥＰＧ３２０を示す図である。
【図１１】第１の実施の形態の変形例５において、デジタルテレビ放送受信装置１２０により表示されるＥＰＧ３４０を示す図である。
【図１２】第２の実施の形態に係るデジタルテレビ放送受信装置３８０の概略ブロック図である。
【図１３】第２の実施の形態の変形例において、デジタルテレビ放送受信装置３８０により表示されるマルチ画面４３０を示す図である。
【符号の説明】
【００８９】
１２０，３８０  デジタルテレビ放送受信装置
１３０  アンテナ端子
１３２，１３２Ａ，１３２Ｂ  デジタルテレビ放送受信処理ブロック（受信処理ブロック）
１３４  限定受信認証鍵格納部
１３６，３９８  映像処理部
１３８，４００  音声処理部
１４０  表示部
１４２  音声出力部
１４３  バス
１４４  中央処理部
１４６  主記憶部
１４８  補助記憶部
１５０  時計
１５２  ユーザ入力受付部
１５４  リモコン
１５６  操作パネル
１６０  デジタル放送フロントエンド処理部チューナ（チューナ）
１６２  復調部
１６４  多重信号分離部
１６６  番組特定情報・サービス情報処理部
１６８  映像信号暗号解除処理部
１７０  音声信号暗号解除処理部
１７２  映像信号復号部
１７４  音声信号復号部
【図１】
2008258803.tif 000003
【図２】
2008258803.tif 000004
【図３】
2008258803.tif 000005
【図４】
2008258803.tif 000006
【図５】
2008258803.tif 000007
【図６】
2008258803.tif 000008
【図７】
2008258803.tif 000009
【図８】
2008258803.tif 000010
【図９】
2008258803.tif 000011
【図１０】
2008258803.tif 000012
【図１１】
2008258803.tif 000013
【図１２】
2008258803.tif 000014
【図１３】
2008258803.tif 000015